(57)【要約】【課題】            ショートサーキットの起こらない遠心式の送風機で構成される送風装置を得る。【解決手段】        内部にスクロールケーシング３を構成した本体箱体１、この本体箱体１に取付けられたモーター７によってスクロールケーシング３内で羽根車８が回転し、本体箱体１のモーター７側に形成された吸込口５からこれに隣接する側面に形成された吹出口９に向かう気流を形成する遠心式の送風機２からなり、吹出口９と吸込口５とを離隔する気流分離板１１を設ける。また、本体箱体１の吸込口５側に吸込み風路空間を確保する取付脚１０を設ける。さらには、本体箱体１の吸込口５の近傍に補助脚を設ける。【選択図】          図１
2005291155.tif 000002
【特許請求の範囲】
【請求項１】
内部にスクロールケーシングを構成した本体箱体、この本体箱体に取付けられたモーターによって前記スクロールケーシング内で羽根車が回転し、前記本体箱体のモーター側に形成された吸込口からこれに隣接する側面に形成された吹出口に向かう気流を形成する遠心式の送風機からなり、前記吹出口と前記吸込口とを離隔する気流分離板を設けた送風装置。
【請求項２】
請求項１に記載の送風装置であって、本体箱体の吸込口側に吸込み風路空間を確保する取付脚を設けた送風装置。
【請求項３】
請求項２に記載の送風装置であって、本体箱体の吸込口の近傍に補助脚を設けた送風装置。
【請求項４】
請求項１に記載の送風装置であって、本体箱体の吸込口側とは反対側に取付脚を設けた送風装置。
【請求項５】
請求項１〜請求項４までのいずれかに記載の送風装置であって、スクロールケーシング外の本体箱体内に電気部品を収めた送風装置。
【発明の詳細な説明】
【技術分野】
【０００１】
本発明は、床面や天井面あるいは壁面などに設置して滞留する空気を攪拌し換気を促進する遠心式の送風機により構成された送風装置に関するものである。
【背景技術】
【０００２】
床面や天井面などに設置して滞留する空気を攪拌し換気を促進する送風装置としては、設置場所の制約を本体を支持する脚部の工夫により解消した例えば、特許文献１に示されたようなものがある。
【０００３】
【特許文献１】特開２００３−３０２０８５号公報
【発明の開示】
【発明が解決しようとする課題】
【０００４】
従来のこの種の送風装置は、本体を支持する脚部が伸縮可能で、その台座部が回転できるようになっていて、凹凸のある所でも、吊り下げたり設置したりすることができるようになっている。しかしながら、本体の取付け側の反対面に吸込口が有り、吹出口が吸込口に近接した外周に設けられているため、吹出された空気が吸込口から吸込まれるといったショートサーキットが起き易い。また、吸込量を確保するため大きく開放された吸込口には異物の吸込みを防止するネットが設けられ、例えば、床に設けられた配線溝等に設置すれば、ネットが踏まれることになり、使用に供せない。
【０００５】
本発明は、上記した問題を解決するためになされたものであり、その目的とするところは、ショートサーキットの起こらない遠心式の送風機で構成される送風装置を得ることであり、床でも天井でも壁でも設置するだけで、必要な吸込み空間が確保でき、吸込口への異物の侵入も防止できる送風装置を得ることである。
【課題を解決するための手段】
【０００６】
上記課題を解決するために本発明は、内部にスクロールケーシングを構成した本体箱体に取付けられたモーターによってスクロールケーシング内で羽根車が回転し、本体箱体のモーター側に形成された吸込口からこれに隣接する側面に形成された吹出口に向かう気流を形成する遠心式の送風機からなる送風装置について、吹出口と吸込口とを離隔する気流分離板を設ける手段を採用する。
【発明の効果】
【０００７】
本発明によれば、吹出口と吸込口とは気流分離板で離隔されているため、吹出口から吹出された気流が再度吸込口から吸込まれるといったショートサーキットは起こらない。
【発明を実施するための最良の形態】
【０００８】
本発明の送風装置は、薄形の方形の本体箱体内に遠心式の送風機が組込まれて構成されている。本体箱体は鋼板製で内部にスクロールケーシングが構成され、本体箱体の底板中央に吸込口が設けられている。吸込口には支持脚によりモーターが取付けられ、このモーターの回転軸にスクロールケーシング内で回転する羽根車が装着されている。送風機の吹出口は、吸込口に隣接する側面に設けられ、本体箱体の吹出口以外の周側面は閉止されている。本体箱体の吹出口の臨む側面の下部は、本体箱体の底板より突出した取付脚で閉止されている。反対側の側面にも本体箱体の底板より突出す二個の取付脚がある。吹出口の臨む側面側の取付脚は、一連のアングル形をなし、設置用のネジ挿通孔が両端に設けられている。この取付脚の一部は、側面を閉止する部分とともに吹出口と吸込口とを離隔する気流分離板を構成している。この三つの取付脚により、本体箱体の吸込口側には三方の開放した吸込み風路空間が確保される。
【０００９】
この送風装置は設置場所に取付脚によって取付けるだけで、三方の開放した吸込み風路空間が確保され、吸込み風路空間を通じて本体箱体の下面の吸込口から吸込まれた空気は、吹出口から半径方向に吹出される。吹出口と吸込口とは気流分離板で離隔されているのでショートサーキットは起こらない。吸込口は、設置面に向合うことになり、異物が入り込むことも少ない。また、本体箱体の上面は、フラットで例えば、床に設置した場合、踏み付けても支障は来さない。
【００１０】
実施の形態１．
図１は、本実施の形態の送風装置の斜視図、図２は、同じく反対側から見た送風装置の斜視図、図３は、送風装置の断面図、図４は、同じく平面図、図５は、本体箱体の底板を示す斜視図、図６は、設置状態の一例を示す送風装置の略体側面図である。図７は、他の設置状態の一例を示す送風装置の略体側面図である。
【００１１】
この送風装置は、薄形の方形の本体箱体１内に遠心式（シロッコファンやターボファン等）の送風機２が組込まれて構成されている。本体箱体１は鋼板製で内部にスクロールケーシング３が構成され、本体箱体１の底板４の中央に吸込口５が設けられている。吸込口５には支持脚６によりモーター７が取付けられ、このモーター７の回転軸にスクロールケーシング３内で回転する羽根車８が装着されている。送風機２の吹出口９は、吸込口５に隣接する側面に設けられ、本体箱体１の吹出口９以外の周側面は閉止されている（図１、図２参照）。本体箱体１の吹出口９の臨む側面の下部は、本体箱体１の底板４より突出した取付脚１０で閉止されている。反対側の側面にも本体箱体１の底板４より突出す二個の取付脚１０がある。吹出口９の臨む側面側の取付脚１０は、一連のアングル形をなし、設置用のネジ挿通孔が両端に設けられている。この取付脚１０の一部は、側面を閉止する部分とともに吹出口９と吸込口５とを離隔する気流分離板１１を構成している。この三つの取付脚１０により、本体箱体１の吸込口５側には三方の開放した吸込み風路空間が確保される。本体箱体１の底板４の下面には、二個の取付脚１０間の吸込み風路空間から吸込まれる空気の抵抗にならない取付姿勢でアングル形の補助脚１２が設けられている（図５参照）。本体箱体１内のスクロールケーシング３の外側には電気部品１３が収められ、電気部品１３の損傷や破壊が防止されている（図３参照）。
【００１２】
この送風装置は設置場所に取付脚１０によって取付けるだけで、三方の開放した吸込み風路空間が本体箱体１の底板４と設置面１４との間に図６に示すように確保され、吸込み風路空間を通じて本体箱体１の下面の吸込口５から吸込まれた空気は、吹出口９から半径方向に吹出される。これにより、室内に滞留する空気を攪拌し換気を促進することができる。吹出口９と吸込口５とは気流分離板１１で離隔されているので吹出し気流と吸込み気流間でのショートサーキットは起こらない。吸込口５は、設置面１４に向き合うことになり、異物が入り込むことも少ない。設置場所が、壁面や天井面であっても同様に機能する。また、本体箱体１の上面は、フラットで例えば、床に設置した場合、踏み付けても支障は来さない。補助脚１２は、このように上からの荷重に対する耐力を備えさせるためのものであり、一本でも二本でもよい。
【００１３】
なお、図７に示すように、取付脚１０を本体箱体１の天面に上向きに設けてもよい。これにより設置場所についての自由度が増す。
【図面の簡単な説明】
【００１４】
【図１】送風装置の斜視図である。（実施の形態１）
【図２】同じく反対側から見た送風装置の斜視図である。（実施の形態１）
【図３】送風装置の断面図である。（実施の形態１）
【図４】送風装置の平面図である。（実施の形態１）
【図５】本体箱体の底板を示す斜視図である。（実施の形態１）
【図６】設置状態の一例を示す送風装置の略体側面図である。（実施の形態１）
【図７】他の設置状態の一例を示す送風装置の略体側面図である。（実施の形態１）
【符号の説明】
【００１５】
１  本体箱体、  ２  送風機、  ３  スクロールケーシング、  ５  吸込口、  ７  モーター、  ８  羽根車、  ９  吹出口、  １０  取付脚、  １１  気流分離板、  １２  補助脚、  １３  電気部品。
【図１】
2005291155.tif 000003
【図２】
2005291155.tif 000004
【図３】
2005291155.tif 000005
【図４】
2005291155.tif 000006
【図５】
2005291155.tif 000007
【図６】
2005291155.tif 000008
【図７】
2005291155.tif 000009